(57)【特許請求の範囲】
【請求項１】
上下方向に直線的に伸び、装着時にカーテンの窓側の面に沿う基幹部と；この基幹部の前部から窓側へ延出し、ランナの吊り環に掛け止め可能なに設けられるフックと；前記基幹部の上端部から後方へほぼ逆Ｕ字状に屈曲し上部において基幹部の背面へ徐々に接近し、下部において基幹部の背面から徐々に離れるように湾曲しつつ下向きに延び、カーテンの上部ひだ部へ下向きに挿入される上部挿入杆と；前記基幹部の下端部から後方へほぼＵ字状に屈曲して上向きに延出し、前記ひだ部へ下方から上向きに挿入される下部挿入杆と；前記上部挿入杆と共にカーテンのひだ部へ上方から下向きに挿入されるように、前記上部挿入杆から一体に左右に広がる一対の翼とを具備する弾性合成樹脂製のカーテン吊り具であって；前記一対の翼は、前記上部挿入杆の上部から下部にわたって左右に広がり、上部は、カーテンの室内側の面にほぼ平行に広がる一方、下方に向かって徐々に左右幅が減少する円弧状端縁を備え、下縁は円弧状端縁に連続して下方に向かって徐々に左右幅が狭まり、下端において上部挿入杆の下部に収束する先細りに形成されていることを特徴とするカーテン吊り具。
【請求項２】
上下方向に直線的に伸び、装着時にカーテンの窓側の面に沿う基幹部を具備し、
前記フックは、前記基幹部の前部から窓側へ延出するように設けられ、
前記上部挿入杆は、前記基幹部の上端部から後方へほぼ逆Ｕ字状に屈曲して下向きに延出し、
前記下部挿入杆は前記基幹部の下端部から後方へほぼＵ字状に屈曲して上向きに延出し、
前記一対の翼は、少なくとも前記上部挿入杆に近接した一部が、カーテンの室内側の面にほぼ平行に広がり、当該平行部分が、ひだ部の一部を介してカーテンの室内側の面に沿うことにより、前記基幹部の軸周り回転が防止されることを特徴とする請求項１に記載のカーテン吊り具。
【請求項３】
前記一対の翼は、全体がカーテンの室内側の面にほぼ平行に広がり、ひだ部の一部をカーテンの室内側の面に引き寄せることにより、ひだ部に膨らみを付与することを特徴とする請求項１に記載のカーテン吊り具。
【請求項４】
前記一対の翼は、下縁が上部挿入杆の下部から上方に向かって弧を描いて徐々に左右へ広がることを特徴とする請求項１ないし３のいずれかに記載のカーテン吊り具。
【発明の詳細な説明】
【技術分野】
【０００１】
この発明は、カーテンを吊り止めると同時に、ひだ部を整形して体裁を整えることかできるカーテン吊り具に関するものである。
【背景技術】
【０００２】
カーテンを吊り止めると同時にひだを整形して見栄えを良くすることができるカーテン吊り具が特許文献１に記載されている。このカーテン吊り具は、ランナの吊り環に掛け止め可能なフックと、カーテンの上部に形成されたひだ部へ上方から下向きに挿入される下向きの挿入杆と、カーテンのひだ部へ下方から上向きに挿入される上向きの係止突片とを備える。上部の挿入杆には、ひだの内側へ挿入される一対の翼を有する整形部材が着脱可能に取り付けられる。
【特許文献１】実開平５−２８２８０号公報
【発明の開示】
【発明が解決しようとする課題】
【０００３】
上記従来のカーテン吊り具においては、二枚の翼が、上下にわたってほぼ同幅の長方形状で、大きく挿入杆から延出する構成であるため、挿入杆と共に上方からひだ部へ挿入する際に、収縮状態にあるひだ部に翼の下縁が当接して作業が難渋するという問題点がある。翼は、二枚が平面視でＶ字状に延出し、先端がひだ部の頂点に到達しているため、比較的大きな長さを必要とし、大型化を余儀なくされるという問題点がある。
また、一般にカーテン吊り具は、全てカーテンの窓側の面に対してフックを直角に延出させる状態を維持することが、カーテンを整然と美しく吊る上で望ましいが、従来、吊り具が上下方向の軸周りに回転して、カーテンの窓側の面に対して左右いずれかに倒れてしまう現象が生じている。
したがって、この出願に係る発明は、翼を上部挿入杆と共にひだ部へ挿入する作業が容易で、比較的小型でもカーテンを美しく整形することができ、またカーテンに対して上下方向の軸周りに回転することなく、カーテンの窓側の面に対してフックを常時直角に延出させる状態を維持できるカーテン吊り具を提供することを課題としている。
【課題を解決するための手段】
【０００４】
上記課題を解決するための弾性合成樹脂製のカーテン吊り具１は、ランナの吊り環に掛け止め可能なフック１３と、カーテン２１の上部に室内側へ突出するように形成されたひだ部２２へ上方から下向きに挿入される下向きの上部挿入杆５と、カーテン２１のひだ部２２へ下方から上向きに挿入される上向きの下部挿入杆６とを備え、上部挿入杆５は、ひだ部２２の内側へ挿入される左右一対の翼８を具備する。一対の翼８は、基部が上部挿入杆５に沿うようにこれと一体に形成され、下縁９が上部挿入杆５の下部から上方に向かって徐々に左右へ広がる。
【発明の効果】
【０００５】
この出願に係る発明のカーテン吊り具１によれば、一対の翼８の基部が上部挿入杆５に沿うようにこれと一体に形成され、その下縁９が上部挿入杆５の下部から上方に向かって徐々に左右へ広がるように構成されるため、翼８は、下端部から、その下縁１０によってひだ部２２を徐々に押し広げながら、ひだ部２２の内側に円滑に挿入される。
翼８の少なくとも上部挿入杆５に近接した一部が、カーテンの室内側の面２４にほぼ平行に広がる構成である場合には、当該平行部分が、ひだ部２２の一部をカーテンの室内側の面２４に引き寄せて、室内側の面２４に沿うことにより、基幹部４の軸周り回転を防止し、フック１３を転倒させることなく、カーテン吊り具１を安定的にカーテン２１に係止することができる。
以上添付図面の符号を参照して説明したが、本発明はこれに限定されるものではない。
【発明を実施するための最良の形態】
【０００６】
図面を参照してこの発明の実施の形態を説明する。図１は本発明に係るカーテン吊り具の斜視図、図２は図１のカーテン吊り具の正面図、図３は図１のカーテン吊り具の側面図、図４は図１のカーテン吊り具の背面図、図５は図１のカーテン吊り具の平面図、図６は図１のカーテン吊り具のカーテンへの装着状態の側面図、図７は図１のカーテン吊り具のカーテンへの装着状態の平面図、図８はカーテン吊り具を装着する前のカーテンのひだ部の平面図である。
【０００７】
図６ないし図８に示すように、カーテン２１は、窓側の面２３とその反対の室内側の面２４とを有し、上縁部に、横方向に相互間隔を置いて複数のひだ部２２を有する。ひだ部２２は、カーテン２１の室内側の面から突出しており、柔らかい膨らみを持った状態で室内側から見て独特の美観を呈する。この発明に係るカーテン吊り具１は、カーテン２１の窓側の面２３に沿うように、ひだ部２２に対応する位置に装着される。
【０００８】
カーテン吊り具１は、弾性合成樹脂製の本体２と同じく弾性合成樹脂製のフック体３とからなる。
【０００９】
本体２は、上下方向に直線的に伸び、装着時にカーテン２１の窓側の面２３に沿う基幹部４と、基幹部４のカーテン２１に沿う面である背面側の上部に設けられた上部挿入杆５と、同じく背面側の下部に設けられた下部挿入杆６と、反対の前面側の上下にわたって設けられたラチェット係合部７とを有する。
【００１０】
上部挿入杆５は、基幹部４の上端部から後方へほぼ逆Ｕ字状に屈曲して下方へ延出し、図３に示すように、カーテン２１のひだ部２２に下向きに挿入される。下部挿入杆６は、基幹部４の下端部から後方へ略Ｕ字状に屈曲して上向きに延出しており、カーテン２１のひだ部２２へ上向きに挿入される。上部挿入杆５と下部挿入杆６は、カーテン２１のひだ部２２へ挿入されることにより、基幹部４の背面との間に縫合部２５を挟み、協働して本体２をカーテン２１に係止する。
【００１１】
左右一対の翼８は、薄板状で、上部挿入杆５から、カーテン２１の室内側の面２４とほぼ平行になるように左右に広がって一体に延出する。翼８は、図５に示す平面視において左右先端に向かうにしたがってカーテン２１の室内側の面２４からわずかに離れるように緩く湾曲し、図４に示す背面視においてほぼ逆三角形状である。翼８の下縁９は、上部挿入杆５の下部から上方に向かって弧を描いて徐々に左右へ広がる。翼８の上縁１０は、上部挿入杆５の上端よりやや下方の位置からほぼ水平に延び、左右の端の円弧状端縁１１を介して下縁９に連続する。
【００１２】
フック体３は、基幹部４に対してラチェット式に一方向へ移動自由に係合するラチェット係合部１２と、そこから前方へ延出したフック１３とを具備する。ラチェット係合部１２は、基幹部４のラチェット係合部７に係合するラチェット爪１４を具備する。
【００１３】
上記実施形態のカーテン吊り具１をカーテン２１に装着する場合には、例えば、上部挿入杆５をカーテン２１のひだ部２２へ上方から下方に向けて挿入し、次いで、下部挿入杆６をカーテン２１のひだ部２２へ下方から上方に向けて挿入する。する。上部挿入杆５をカーテン２１のひだ部２２へ挿入するとき、同時に翼８がひだ部２２の内側に差し込まれる。ひだ部２２は、上部挿入杆５を挿入する前には、一般に図８に示すように圧縮された状態にある。これに上部挿入杆５を翼８と共に挿入すると、翼８は、下端部から、その円弧状の下縁１０によってひだ部２２を徐々に押し広げながら、その内側に円滑に挿入される。ひだ部２２は、縫合部２５の左右両側がカーテン２１の室内側の面２４に沿うように引き寄せられる結果、全体に膨らみが付与され、美しい外観を呈する。また、翼８が、カーテン２１の室内側の面２４に沿うので、吊り具１におけるカーテン２１に対する基幹部４の軸周りの相対回転が防止され、吊り具１をカーテン２１に安定して係止することができる。
【００１４】
なお、翼８は、平面視において湾曲することなく全体をカーテン２１の室内側の面２４とほぼ平行となる平板状に構成することができる。またフック１３は基幹部４と一体のものとして構成することができる。
カーテンのひだ部の形状は、図示する「三つひだ」の他、図示しない「二つひだ」、「一つひだ」、「箱ひだ」、「ゴブレットひだ」などと称される各種形状のものがあるが、本発明に係るカーテン吊り具は、いずれのひだ形状のカーテンにも適用できる。
【図面の簡単な説明】
【００１５】
【図１】本発明に係るカーテン吊り具の斜視図である。
【図２】図１のカーテン吊り具の正面図である。
【図３】図１のカーテン吊り具の側面図である。
【図４】図１のカーテン吊り具の背面図である。
【図５】図１のカーテン吊り具の平面図である。
【図６】図１のカーテン吊り具のカーテンへの装着状態の側面図である。
【図７】図１のカーテン吊り具のカーテンへの装着状態の平面図である。
【図８】カーテン吊り具を装着する前のカーテンのひだ部の平面図である。
【符号の説明】
【００１６】
１    カーテン吊り具
２    本体
３    フック体
４    基幹部
５    上部挿入杆
６    下部挿入杆
７    ラチェット係合部
８    翼
９    下縁
１０  上縁
１１  円弧状端縁
１２  ラチェット係合部
１３  フック
１４  ラチェット爪
２１  カーテン
２２  ひだ部
２３  窓側の面
２４  室内側の面
２５  縫合部
【図１】
0005006836.tif 000002
【図２】
0005006836.tif 000003
【図３】
0005006836.tif 000004
【図４】
0005006836.tif 000005
【図５】
0005006836.tif 000006
【図６】
0005006836.tif 000007
【図７】
0005006836.tif 000008
【図８】
0005006836.tif 000009